(57)【要約】【課題】本発明は情報記憶媒体に記録できないコンテンツをユーザが選ぶことを防ぐことができるコンテンツ選択装置およびコンテンツ選択方法を提供する。【解決手段】ＳＤカードの特性を検出する検出手段（１２）と、検出手段（１２）により検出されたＳＤカードの特性に応じたコンテンツを提示するコンテンツ選択画面を表示する表示手段（３０）とを具備するコンテンツ選択装置。【選択図】      図１
2010154471.tif 000002
【特許請求の範囲】
【請求項１】
記憶媒体の特性を検出する検出手段と、
記憶された複数のコンテンツに対して、前記検出手段により検出された記憶媒体の特性に基づき前記記憶媒体に記憶するのに適するコンテンツと適さないコンテンツとを識別し、その識別結果に応じたコンテンツを提示するコンテンツ選択画面を表示する表示手段と、
を具備するコンテンツ選択装置。
【請求項２】
前記表示手段は同じタイトルで異なる特性の複数のコンテンツのうち前記記憶媒体に記憶するのに適するコンテンツと適さないコンテンツとを識別し、その識別結果に応じたコンテンツを提示するコンテンツ選択画面を表示することを特徴とする請求項１に記載のコンテンツ選択装置。
【請求項３】
前記表示手段は前記記憶媒体に記憶するのに適さないコンテンツには適さない理由を付記するコンテンツ選択画面を表示することを特徴とする請求項１に記載のコンテンツ選択装置。
【請求項４】
前記表示手段はお薦めのコンテンツからなる初期画面を表示し、前記検出手段が前記記憶媒体の特性を検出すると、お薦めのコンテンツと同じタイトルで異なる特性の複数のコンテンツのうち前記記憶媒体に記憶するのに適するコンテンツを提示するコンテンツ選択画面を表示することを特徴とする請求項１に記載のコンテンツ選択装置。
【請求項５】
前記検出手段は記憶媒体の全容量、使用済み容量、残容量、アクセス速度、セキュリティ強度の少なくともいずれか１つを検出することを特徴とする請求項１に記載のコンテンツ選択装置。
【請求項６】
前記検出手段により検出された記憶媒体の特性を表示する手段をさらに具備することを特徴とする請求項１に記載のコンテンツ選択装置。
【請求項７】
前記表示手段はビットレート、サイズ、解像度、セキュリティ強度のいずれかを含むコンテンツ情報も含むコンテンツ選択画面を表示することを特徴とする請求項１に記載のコンテンツ選択装置。
【請求項８】
前記検出手段は前記記憶媒体に記憶されているコンテンツのビットレート、サイズ、解像度、セキュリティ強度のいずれかを含むコンテンツ情報も検出し、
前記検出手段により検出されたコンテンツ情報を表示する手段をさらに具備することを特徴とする請求項１に記載のコンテンツ選択装置。
【請求項９】
記憶媒体の特性を検出する検出ステップと、
記憶された複数のコンテンツに対して、前記検出ステップにより検出された基づき前記記憶媒体に記憶するのに適するコンテンツと適さないコンテンツとを識別し、その識別結果に記憶媒体の特性に応じたコンテンツを提示するコンテンツ選択画面を表示する表示ステップと、
を具備するコンテンツ選択方法。
【請求項１０】
前記表示ステップは同じタイトルで異なる特性の複数のコンテンツのうち前記記憶媒体に記憶するのに適するコンテンツと適さないコンテンツとを識別し、その識別結果に応じたコンテンツを提示するコンテンツ選択画面を表示することを特徴とする請求項９に記載のコンテンツ選択方法。
【請求項１１】
前記表示ステップは前記記憶媒体に記憶するのに適さないコンテンツには適さない理由を付記するコンテンツ選択画面を表示することを特徴とする請求項９に記載のコンテンツ選択方法。
【請求項１２】
前記表示ステップはお薦めのコンテンツからなる初期画面を表示し、前記検出ステップが前記記憶媒体の特性を検出すると、お薦めのコンテンツと同じタイトルで異なる特性の複数のコンテンツのうち前記記憶媒体に記憶するのに適するコンテンツを提示するコンテンツ選択画面を表示することを特徴とする請求項９に記載のコンテンツ選択方法。
【請求項１３】
前記検出ステップは記憶媒体の全容量、使用済み容量、残容量、アクセス速度、セキュリティ強度の少なくともいずれか１つを検出することを特徴とする請求項９に記載のコンテンツ選択方法。
【請求項１４】
前記検出ステップにより検出された記憶媒体の特性を表示するステップをさらに具備することを特徴とする請求項９に記載のコンテンツ選択方法。
【請求項１５】
前記表示ステップはビットレート、サイズ、解像度、セキュリティ強度のいずれかを含むコンテンツ情報も含むコンテンツ選択画面を表示することを特徴とする請求項９に記載のコンテンツ選択方法。
【請求項１６】
前記検出ステップは前記記憶媒体に記憶されているコンテンツのビットレート、サイズ、解像度、セキュリティ強度のいずれかを含むコンテンツ情報も検出し、
前記検出ステップにより検出されたコンテンツ情報を表示するステップをさらに具備することを特徴とする請求項９に記載のコンテンツ選択方法。
【発明の詳細な説明】
【技術分野】
【０００１】
本発明は情報記憶媒体にコンテンツを記録する際に、情報記憶媒体の特性に応じたコンテンツを記録するようにコンテンツを選択するコンテンツ選択装置およびコンテンツ選択方法に関する。
【背景技術】
【０００２】
近年、メモリの集積度が増加しており、フラッシュメモリを内蔵するＳＤ（セキュア・デジタル）カード（登録商標）も数ギガバイトの容量のものが市販されている。そこで、映画等のデジタルコンテンツ（以下、単にコンテンツと称する）を暗号化してＳＤカードに書き込んで販売することが考えられている。ＳＤカードには、ＳＤカード外部から自由に読出／書込可能なユーザデータ領域以外にも、読取専用でＳＤカード自身が参照する領域であり、外部からのアクセスが一切不可となっている秘匿領域と、認証に成功した場合にＳＤカード外部から読出／書込可能な保護領域とを含む。暗号化の鍵は秘匿領域あるいは保護領域に書き込まれる。これにより、コンテンツの著作権が保護された状態でコンテンツを流通することが出来る。
【０００３】
ＳＤカードは形状や色が似ていても、容量、アクセス速度、セキュリティ強度等の異なる特性の多種類が流通しているが、その違いは、一般的に使用者には分かりにくい。上述した販売形態では、店頭に設置された端末にユーザがＳＤカードを挿入し、コンテンツを選択することが想定される。同じタイトルのコンテンツでもビットレート、サイズ、解像度、セキュリティ強度等異なる特性の複数のコンテンツが存在し得る。そこで、ユーザが端末でコンテンツを選択する際、ＳＤカードの特性によっては、容量不足で最後まで書き込めないコンテンツや、アクセス速度が遅いために書き込み時間が非常に長時間となるコンテンツや、ＳＤカードのセキュリティ強度がコンテンツ・ホルダの希望するセキュリティ強度以下である場合がある。このような場合、ユーザは端末で選択したコンテンツがＳＤカードに書き込めない理由が不明であり、ユーザにとって使い勝手がよいものではなかった。
【０００４】
一方、使用する接続機器を予め自動的に設定し、簡便化された操作で制御を行うことが出来るようにした放送受信装置が開発されている（例えば、特許文献１参照）。この方法受信装置は、映像信号を受信する受信部と、受信部で受信した映像信号に所定の信号処理を施す信号処理部と、信号処理部からの出力映像信号を表示する表示部と、機器を接続するインターフェース部と、インターフェース部を介して装置本体に接続される接続機器の性能を検査する接続機器性能検査部と、接続機器性能検査部の検査結果が、所定の条件を満たす場合、接続機器を特定の専用機器として登録することが出来る接続機器登録管理部とを有する。
【０００５】
しかし、接続機器の性能の検査結果は所定の条件を満たすか否かの観点からのみ使用されず、上記したような書き込めない理由を明確にできるものではない。
【特許文献１】特開２００７−３６９４８号公報（請求項１、請求項５、請求項６）
【発明の開示】
【発明が解決しようとする課題】
【０００６】
このようにユーザが用意した情報記憶媒体にコンテンツを記録して販売する際は、情報記憶媒体の特性によっては記録できないコンテンツがあるが、従来のコンテンツ選択装置ではこのような場合にユーザに適切なガイダンスを与えることが出来なかった。
【０００７】
本発明の目的は情報記憶媒体に記録できないコンテンツをユーザが選ぶことを防ぐことができるコンテンツ選択装置およびコンテンツ選択方法を提供することにある。
【課題を解決するための手段】
【０００８】
本発明の一態様によるコンテンツ選択装置は、記憶媒体の特性を検出する検出手段と、記憶された複数のコンテンツに対して、前記検出手段により検出された記憶媒体の特性に基づき前記記憶媒体に記憶するのに適するコンテンツと適さないコンテンツとを識別し、その識別結果に応じたコンテンツを提示するコンテンツ選択画面を表示する表示手段とを具備するものである。
【０００９】
本発明の他の態様によるコンテンツ選択方法は、記憶媒体の特性を検出する検出ステップと、記憶された複数のコンテンツに対して、前記検出ステップにより検出された基づき前記記憶媒体に記憶するのに適するコンテンツと適さないコンテンツとを識別し、その識別結果に記憶媒体の特性に応じたコンテンツを提示するコンテンツ選択画面を表示する表示ステップとを具備するものである。
【発明の効果】
【００１０】
以上説明したように本発明によれば、コンテンツ選択画面は情報記憶媒体の特定に応じたコンテンツを提示するので、情報記憶媒体に記録できないコンテンツをユーザが選ぶことを防ぐことができる。
【発明を実施するための最良の形態】
【００１１】
以下、図面を参照して本発明によるコンテンツ選択装置の実施の形態を説明する。
【００１２】
図１は本発明の第１の実施の形態に係るコンテンツ選択装置の構成を示す図である。コンテンツ選択装置はコンテンツ販売者が店頭等に設置する販売端末である。
【００１３】
ＣＰＵ１２、ＲＯＭ１４、ＲＡＭ１６がシステムバス１８に接続される。ＣＰＵ１２は本実施形態のコンテンツ選択動作を制御するソフトウェアを実行する。システムバス１８には記憶装置２２、ネットワークＩ／Ｆ２４、時計２６、スピーカ２８、表示装置３０、入力デバイス３２、メディアスロット３４も接続される。記憶装置２２は販売する映画等のコンテンツを記憶する。なお、コンテンツは全てを記憶装置２２に格納しておく必要は無く、ネットワークＩ／Ｆ２４を介してネットワークに接続された遠隔の大容量記憶装置に格納されていてもよい。表示装置３０はコンテンツ選択画面等のユーザインターフェースを表示する。入力デバイス３２はユーザからのコンテンツ選択等の指示入力を受け付けるものであり、専用のキーボードを設けても良いが、表示装置３０の画面上にタッチパネルとして設けても良い。メディアスロット３４にはＳＤカード３６が挿入される。
【００１４】
ＳＤカードは容量、転送速度、セキュリティ強度等の点で種々のタイプがある。容量は８ＭＢから３２ＧＢまである。転送速度はスピードクラスとして定義され、クラス２は２ＭＢ／ｓ以上、クラス４は４ＭＢ／ｓ以上、クラス６は６ＭＢ／ｓ以上の転送速度が規定されている。セキュリティ強度は暗号化のビット数が５６ビット（低）と、１２８ビット（高）の２種類が規定されている。
【００１５】
ＣＰＵ１２が実行するコンテンツ選択動作を制御するソフトウェアでは、ＳＤカード３６がメディアスロット３４に挿入されると、先ず、ＳＤカードのタイプが判定される。このタイプはＳＤカード３６の所定のピンを介してメディアスロット３４からＣＰＵ４２に伝えられる。また、ＳＤカードの残容量も検出される。
【００１６】
ＳＤカード３６のタイプおよび残容量が判ると、タイプに応じてＳＤカードに記録できないあるいは記録に適さないコンテンツと、記録できるあるいは記録に適するコンテンツも判る。記憶装置２２は同じタイトルのコンテンツでもビットレート、サイズ、解像度、セキュリティ強度等が異なる種々のタイプのコンテンツを記憶している。例えば、図２に示すように同じタイトルＡのコンテンツＡ１、Ａ２が、同じタイトルＢのコンテンツＢ１、Ｂ２が記憶されている。コンテンツＡ１はビットレートが１６Ｍｂｐｓ、サイズが２ＧＢ、解像度が１９２０×１０８０（ｄｏｔ）、セキュリティ強度が低である。コンテンツＡ２はビットレートが３Ｍｂｐｓ、サイズが４００ＭＢ、解像度が１９２０×１０８０（ｄｏｔ）、セキュリティ強度が低である。コンテンツＢ１はビットレートが３Ｍｂｐｓ、サイズが１ＧＢ、解像度が１９２０×１０８０（ｄｏｔ）、セキュリティ強度が高である。コンテンツＢ２はビットレートが３Ｍｂｐｓ、サイズが１ＧＢ、解像度が６４０×４８０（ｄｏｔ）、セキュリティ強度が低である。コンテンツＣ１はビットレートが６Ｍｂｐｓ、サイズが８００ＭＢ、解像度が６４０×４８０（ｄｏｔ）、セキュリティ強度が低である。
【００１７】
図３のフローチャートを参照して第１の実施の形態に係るコンテンツ選択方法を説明する。ブロック５２で表示部３０に初期画面が表示される。初期画面の一例を図４に示す。初期画面にはお薦めコンテンツの一覧が表示される。コンテンツＡ１、コンテンツＢ１、コンテンツＣ１がお薦めされている。画面はスクロール可能であり、３つ以上のコンテンツが表示可能である。ユーザは初期画面の案内に従ってメディアスロット３４にＳＤカードを挿入する。
【００１８】
ブロック５４でＳＤカードの挿入が検出されると、ブロック５６でＳＤカードの特性（タイプおよび残容量）が判定される。これらに応じてＳＤカードに記録できないあるいは記録に適さないコンテンツと、記録できるあるいは記録に適するコンテンツが判るので、ブロック５８ではカードの特性に応じたコンテンツ選択画面を表示させる。コンテンツ選択画面の一例を図５に示す。カードの特性としての残容量と、アクセス速度、セキュリティ強度が画面下側に表示される。コンテンツ選択画面は基本的にはＳＤカードに記録できるあるいは記録に適するコンテンツを表示する。ここでは、ＳＤカードの残容量に応じて、書込候補のコンテンツを残容量に絞った形で選択的に提示する。例えば、同じコンテンツでもビットレートが低くＳＤカードに収まる候補を優先的に提示する。また、ＳＤカードの残容量以下のサイズのコンテンツを優先的に提示する。
【００１９】
ＳＤカードのアクセス速度が低速ならば、同一タイトルの容量の小さいものを優先的に、高速ならば、容量の大きいものを優先的に提示する。すなわち、ＳＤカードのアクセス速度に応じて、書込候補のコンテンツのサイズから判断してある所定の時間以内に書き込めるものに絞って選択的に提示する。例えば、同じコンテンツでもビットレートが低くＳＤカードに収まる候補を優先的に提示する。
【００２０】
ＳＤカードのセキュリティ強度が低ならば、セキュリティ強度が低レベルのコンテンツを、高ならばセキュリティ強度が高レベルのコンテンツを優先的に提示する。ＳＤカードのセキュリティ強度に応じて、書込候補のコンテンツをセキュリティ強度に合わせて書き込み可能なものを絞って選択的に提示する。例えば、セキュリティ強度が低のＳＤカードには、高解像度の動画はセキュリティが高く書き込めないが、低解像度の動画は書き込める。
【００２１】
なお、コンテンツがＴＶドラマなどのシリーズもののコンテンツの場合は、１枚のＳＤカードにシリーズものの全てのコンテンツを記録できるように、シーズン・セットでコンテンツのサイズと見なすことが好ましい。
【００２２】
さらに、お薦め一覧にリストアップされていたが、記録できないあるいは記録に適さないと判断されたコンテンツも記録できるあるいは記録に適するコンテンツと識別して表示し、記録できないあるいは記録に適さない理由も付記すると好ましい。図５からは、初期画面でお薦めされていたコンテンツＡ１、Ｂ１、Ｃ１が記録できないあるいは記録に適さないと判断され、代わりに同じタイトルのコンテンツＡ２、Ｂ２、Ｃ２が記録できるあるいは記録に適するコンテンツであることが判る。コンテンツＡ１には残り容量不足、コンテンツＢ１にはセキュリティ強度不足、コンテンツＣ１には書き込み時間大が付記される。このため、コンテンツＡ１を購入したい場合は、当該ＳＤカード内のいずれかのコンテンツを削除する、あるいは残容量が大きいＳＤカードを用意する、コンテンツＢ１を購入したい場合は、セキュリティ強度が高いＳＤカードを用意する、コンテンツＣ１を購入したい場合は、アクセス速度が高速のＳＤカードを用意すれば良いことが判る。このように、選択画面の表示に基づいてコンテンツを選択あるいはＳＤカードを交換する。
【００２３】
ブロック６０では選択したコンテンツが現在メディアスロットに挿入されているＳＤカードに記録できるあるいは記録に適するか否か判定される。記録できないあるいは記録に適さない場合は、ブロック６２でさらにガイダンスが表示され、ブロック６０に戻る。このガイダンス表示は、図５のコンテンツ選択画面の理由（残り容量不足、セキュリティ強度不足、書き込み時間大等）と同じである。
【００２４】
記録できるあるいは記録に適する場合は、ブロック６４でさらに選択コンテンツをＳＤカードに記録する。
【００２５】
以上説明したように、第１の実施の形態によれば、同じタイトルでもビットレート、サイズ、解像度、セキュリティ強度等が異なる種々のタイプのコンテンツの中から所望のコンテンツを選択する際に、ＳＤカードのタイプ（容量、転送速度、セキュリティ強度等）、あるいは残容量等の特性を検出し、コンテンツの選択肢を検出結果に応じて当該ＳＤカードに記録できるあるいは記録に適するコンテンツに絞った形のコンテンツ選択画面を表示させる。これにより、ユーザがＳＤカードに記録できないあるいは記録に適さないコンテンツを選択し、コンテンツの記録が全くなされないというユーザの意志に反した結果になることが防止できる。また、コンテンツ選択画面には、当該ＳＤカードには記録できないあるいは記録に適さないコンテンツもその理由を付して表示されるので、ユーザはコンテンツのタイプに適した特性のＳＤカードを準備することによりコンテンツの記録が出来ることが判り、ユーザの利便性に優れている。
【００２６】
本発明は上述した実施の形態そのままに限定されず、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。例えば、上述の説明では、記憶媒体はＳＤカードとしたが、これに限らず他の媒体、好ましくは著作権保護機能を有する媒体でもよい。
【図面の簡単な説明】
【００２７】
【図１】本発明の第１の実施の形態によるコンテンツ選択装置の構成を示す図。
【図２】本発明のコンテンツ選択装置が記憶しているコンテンツの種類を示す図。
【図３】本発明の第１の実施の形態によるコンテンツ選択方法の手順を示すフローチャート。
【図４】本発明の第１の実施の形態によるコンテンツ選択の初期画面の一例を示す図。
【図５】本発明の第１の実施の形態によるコンテンツ選択画面の一例を示す図。
【符号の説明】
【００２８】
１２…ＣＰＵ、２２…記憶装置、２４…ネットワークＩ／Ｆ、３０…表示装置、３２…入力デバイス、３４…メディアスロット。
【図１】
2010154471.tif 000003
【図２】
2010154471.tif 000004
【図３】
2010154471.tif 000005
【図４】
2010154471.tif 000006
【図５】
2010154471.tif 000007